(57)【要約】【課題】現場での取付作業を容易に行うことができる太陽電池パネル固定用器具を提供する。【解決手段】固定用器具１は、下方が開口し、上下方向に延びるガイド孔２Ａを有するハウジング２と、対向する面に第二の凹部４Ｃ，６Ｃが形成された一対のアーム４、６と、一対のアーム４、６に設けられた一対のガイドピン１４、１６と、を備え、一対のアーム４、６は、ガイドピン１４、１６がガイド孔２Ａに案内されながら、上下に移動可能であり、かつ、ガイドピン１４、１６を中心に回転可能であり、一対のアーム４、６をハウジング２に対して下方に移動すると、一対のアーム４、６が、下部が互いに離間するようにガイドピン１４、１６を中心に回転し、一対のアーム４、６をハウジング２に対して上方に移動すると、一対のアーム４、６が、下部が互いに近接するようにガイドピン１４、１６を中心に回転する。【選択図】図１Ｂ
2016108757.tif 000002
【特許請求の範囲】
【請求項１】
凸部を有する基礎面の上に太陽電池パネルを固定するための器具であって、
上下方向に延びるガイド手段を有し、下方が開口するハウジングと、
上部が前記ハウジング内に位置し、それぞれ互いに対向する面に第１の凹部が形成された一対のアームと、
前記一対のアームのそれぞれに対して前後方向に延びるように前記アームの第１の凹部の上方に設けられ、前記ガイド手段に案内されながら上下に移動可能な一対のガイドピンと、を備え、
前記一対のアームは、前記ガイドピンとともに上下に移動可能であり、かつ、前記一対のアームは前記ガイドピンを中心に回転可能であり、
前記一対のアームが前記ガイドピンとともに前記ハウジングに対して下方に移動すると、前記一対のアームが、下部が互いに離間するように前記ガイドピンを中心に回転し、
前記一対のアームが前記ガイドピンとともに前記ハウジングに対して上方に移動すると、前記一対のアームが、下部が互いに近接するように前記ガイドピンを中心に回転し、これにより前記基礎面の前記凸部が前記一対のアームの前記第１の凹部内に収容され、前記器具が前記基礎面に固定され、
前記器具に対して太陽電池パネルが固定される、ことを特徴とする太陽電池パネル固定用器具。
【請求項２】
前記一対のアームはそれぞれ、前記横方向外側に傾斜面を有し、当該傾斜面は、前記対向する面からの距離が下方に向かって大きくなるように傾斜しており、
前記一対のガイドピンは、それぞれ、前記一対のアームが、前記アームの自重により下部が互いに離間する方向に回転するように付勢されるような位置に設けられ、
前記アームは自重により付勢されて前記傾斜面が前記ハウジングの横方向側方下部に当接し、これにより、前記一対のアームを下方に移動すると、当該一対のアームが、下部が離間するように前記ガイドピンを中心に回転し、かつ、前記一対のアームを上方に移動すると、当該一対のアームが、下部が互いに近接するように前記ガイドピンを中心に回転する、請求項１に記載の太陽電池パネル固定用器具。
【請求項３】
前記一対のガイドピンは、それぞれ前記一対のアームの横方向外側の部位に設けられている、請求項１又は２に記載の太陽電池パネル固定用器具。
【請求項４】
さらに、長尺形状のネック及び前記ネックの下端に設けられたヘッドを有する操作部材を備え、
前記操作部材のネックは前記ハウジングの上部を貫通し、
前記一対のアームは、それぞれ、前記対向する面の前記第１の凹部の上方に第２の凹部が形成され、当該第２の凹部に前記ヘッドが収容され、
前記ネックを上方に移動させると、前記ヘッドが前記第２の凹部を上方に引き上げ、これにより、前記一対のアームが上方に移動するとともに、前記一対のアームが、下部が互いに近接するように前記ガイドピンを中心に回転し、
前記ネックを下方に移動させると、前記ヘッドが前記第２の凹部を下方に押し込み、これにより、前記一対のアームが下方に移動するとともに、前記一対のアームが、下部が互いに離間するように前記ガイドピンを中心に回転する、請求項１〜３に記載の太陽電池パネル固定用器具。
【請求項５】
前記操作部材のネックに対し、前記太陽電池パネルを固定するための支持部材が固定され、当該支持部材に前記太陽電池パネルが固定される、請求項４に記載の太陽電池パネル固定用器具。
【請求項６】
前記ガイド手段は、前記ハウジングに形成された溝または孔である、請求項１〜５の何れか１項に記載の太陽電池パネル固定用器具。
【請求項７】
前記ハウジングは、樹脂製である、請求項１〜６の何れか１項に記載の太陽電池パネル固定用器具。
【請求項８】
前記アームは、樹脂製である、請求項１〜７の何れか１項に記載の太陽電池パネル固定用器具。
【発明の詳細な説明】
【技術分野】
【０００１】
本発明は、太陽電池パネルを固定するための固定用器具に関し、特に、はぜを有する屋根に太陽電池パネルを屋根に固定するための固定用器具に関する。
【背景技術】
【０００２】
太陽電池パネルは、固定金具により屋根等に所定の姿勢で固定されて用いられる。このような屋根等への太陽電池パネルを固定するための固定金具として、例えば、特許文献１には、屋根の丸形ハゼ部を挟み込むように載置される一対の載置ブラケットを取り付け、各載置ブラケットの外側に一対の補強ブラケットを配置し、補強ブラケットの外側からボルト及びナットにより補強ブラケットを挟みこむことにより固定金具を屋根等に固定し、載置ブラケットと、載置ブラケットから上方に突出する第２のボルトに取り付けられた取付ブラケットにより挟み込んで太陽電池パネルを固定する構成の固定金具が開示されている。
【先行技術文献】
【特許文献】
【０００３】
【特許文献１】特開２０１４−１１４５７６号公報
【発明の概要】
【発明が解決しようとする課題】
【０００４】
しかしながら、上述した通り、引用文献１に記載された固定金具は、一対の載置ブラケットや一対の補強ブラケットなどの多数の部材により構成されており、これら多数の部品を現場で組み立てる必要があり、太陽電池パネルの取付作業に労力がかかるという課題がある。
【０００５】
本発明は、上記の課題を解決するためになされたものであり、現場での取付を容易に行うことができる太陽電池パネル固定用器具を提供することを目的とする。
【課題を解決するための手段】
【０００６】
本発明の太陽電池パネル固定用器具は、凸部を有する基礎面の上に太陽電池パネルを固定するための器具であって、上下方向に延びるガイド手段を有し、下方が開口するハウジングと、上部がハウジング内に位置し、それぞれ互いに対向する面に第１の凹部が形成された一対のアームと、一対のアームのそれぞれに対して前後方向に延びるようにアームの第１の凹部の上方に設けられ、ガイド手段に案内されながら上下に移動可能な一対のガイドピンと、を備え、一対のアームは、ガイドピンとともに上下に移動可能であり、かつ、一対のアームはガイドピンを中心に回転可能であり、一対のアームがガイドピンとともにハウジングに対して下方に移動すると、一対のアームが、下部が互いに離間するようにガイドピンを中心に回転し、一対のアームがガイドピンとともにハウジングに対して上方に移動すると、一対のアームが、下部が互いに近接するようにガイドピンを中心に回転し、これにより基礎面の凸部が一対のアームの第１の凹部内に収容され、器具が基礎面に固定され、器具に対して太陽電池パネルが固定される、ことを特徴とする。
【０００７】
本発明によれば、一対のアーム（ガイドピン）をハウジングに対して上下させることにより、一対のアームを開閉させることができる。このため、固定用器具を簡単な取付作業により、屋根のはぜ等に取り付けることができる。
【０００８】
また、本発明において、好ましくは、一対のアームはそれぞれ、横方向外側に傾斜面を有し、当該傾斜面は、対向する面からの距離が下方に向かって大きくなるように傾斜しており、一対のガイドピンは、それぞれ、一対のアームが、アームの自重により下部が互いに離間する方向に回転するように付勢されるような位置に設けられ、アームは自重により付勢されて傾斜面がハウジングの横方向側方下部に当接し、これにより、一対のアームを下方に移動すると、当該一対のアームが、下部が離間するようにガイドピンを中心に回転し、かつ、一対のアームを上方に移動すると、当該一対のアームが、下部が互いに近接するようにガイドピンを中心に回転する。
【０００９】
このような構成の本発明によれば、一対のアームが自重により下部が互いに離間するような方向に付勢されるため、アームの傾斜面がハウジングの横方向側方下部に当接する。そして、アームの傾斜面が、対向する面からの距離が下方に向かって大きくなるように傾斜しているため、一対のアームをハウジングに対して上下に移動させることにより、一対のアームを開閉させることができる。
【００１０】
また、本発明において、好ましくは、一対のガイドピンは、それぞれ一対のアームの横方向外側の部位に設けられている。
このような構成の本発明によれば、一対のアームが自重により下部が互いに離間するような方向に付勢される。
【００１１】
また、本発明において、好ましくは、さらに、長尺形状のネック及びネックの下端に設けられたヘッドを有する操作部材を備え、操作部材のネックはハウジングの上部を貫通し、一対のアームは、それぞれ、対向する面の第１の凹部の上方に第２の凹部が形成され、当該第２の凹部にヘッドが収容され、ネックを上方に移動させると、ヘッドが第２の凹部を上方に引き上げ、これにより、一対のアームが上方に移動するとともに、一対のアームが、下部が互いに近接するようにガイドピンを中心に回転し、ネックを下方に移動させると、ヘッドが第２の凹部を下方に押し込み、これにより、一対のアームが下方に移動するとともに、一対のアームが、下部が互いに離間するようにガイドピンを中心に回転する。
【００１２】
このような構成の本発明によれば、操作部材を上下動させるのみで、一対のアームを開閉させることができる。
【００１３】
また、本発明において、好ましくは、操作部材のネックに対し、太陽電池パネルを固定するための支持部材が固定され、この支持部材に太陽電池パネルが固定される。
また、本発明において、好ましくは、ガイド手段は、ハウジングに形成された溝または孔である。
また、本発明において、好ましくは、ハウジングは樹脂製である。
また、本発明において、好ましくは、アームは樹脂製である。
【発明の効果】
【００１４】
本発明によれば、現場での取付作業を容易に行うことができる太陽電池パネル固定用器具が提供される。
【図面の簡単な説明】
【００１５】
【図１Ａ】本発明の第一実施形態の固定用器具を示す正面図であり、固定用器具を屋根のはぜに取り付ける様子（その１）を示す。
【図１Ｂ】図１Ａに対応する断面図である。
【図２Ａ】本発明の第一実施形態の固定用器具を示す正面図であり、固定用器具を屋根のはぜに取り付ける様子（その２）を示す。
【図２Ｂ】図２Ａに対応する断面図である。
【図３Ａ】本発明の第一実施形態の固定用器具を示す正面図であり、固定用器具を屋根のはぜに取り付ける様子（その３）を示す。
【図３Ｂ】図３Ａに対応する断面図である。
【図３Ｃ】図３Ａに対応する上面図である。
【図４Ａ】本発明の第一実施形態の固定用器具を示す正面図であり、固定用器具を屋根のはぜに取り付ける様子（その４）を示す。
【図４Ｂ】図３Ａに対応する断面図である。
【図５】第一実施形態の固定用器具を用いた太陽電池パネルを屋根に固定する構造の第１実施例を示す斜視図である。
【図６】第一実施形態の固定用器具を用いた太陽電池パネルを屋根に固定する構造の第２実施例を示す斜視図である。
【図７】本発明の第二実施形態の固定用器具を示す断面図であり、固定用器具を屋根のはぜに取り付ける様子（その１）を示す。
【図８】本発明の第二実施形態の固定用器具を示す断面図であり、固定用器具を屋根のはぜに取り付ける様子（その２）を示す。
【発明を実施するための形態】
【００１６】
以下、本発明の太陽電池パネル固定用器具の第一実施形態を図面を参照しながら、詳細に説明する。
図１Ａ〜図４Ａは、第一実施形態の固定用器具を示す正面図であり、図１Ｂ〜図４Ｂは第一実施形態の固定用器具を示す断面図である。また、図３Ｃは、第一実施形態の固定用器具の上面図である。図１Ａ〜図４Ａは、固定用器具を屋根のはぜに取り付ける際の異なるステップを示し、図１Ａは図１Ｂと同じステップであり、図２Ａは図２Ｂと同じステップであり、図３Ａは図３Ｂ及び図３Ｃと同じステップであり、図４Ａは図４Ｂと同じステップである。なお、本明細書では、図１Ａ〜図４Ｂにおける左右方向を横方向といい、図１Ａ〜図４Ｂにおける上下方向を縦方向又は上下方向といい、図１Ａ〜図４Ｂにおける紙面に垂直な方向を前後方向という。
【００１７】
第一実施形態の固定用器具１は、例えば、はぜ１００を有する屋根上に固定され、この器具に対して太陽電池パネルが固定される。はぜ１００は、屋根上に平行に延びる一定断面形状の凸部であり、屋根に立設された基部１０２と基部１０２の上部に形成された拡幅部１０４とを有する。
【００１８】
図１Ａ〜図４Ｂに示すように、固定用器具１は、ハウジング２と、上部がハウジング２内に位置するように設けられた一対のアーム４、６と、操作部材８とを有する。
ハウジング２は、下方が開口する直方体形状の筐体からなる。ハウジング２の前後の面には縦方向に延びるガイド孔２Ａが形成されている。ハウジング２の側面には所定の高さ位置に側部貫通孔２Ｂが形成されている。ハウジング２の側面の下端部には内側に向かって突出する突出部２Ｃが形成されている。また、ハウジング２の上面の中央には上部貫通孔２Ｄが形成されている。ハウジング２は、好ましくは樹脂製である。
【００１９】
アーム４、６は、対向する面に第二の凹部４Ａ、６Ａ、及び第一の凹部４Ｃ、６Ｃが形成されている。第二の凹部４Ａ，６Ａは、断面矩形状の切り欠きからなる。また、第一の凹部４Ｃ、６Ｃは、断面円弧状の切り欠きからなり、第二の凹部４Ａ，６Ａの下方に形成されている。第一の凹部４Ｃ，６Ｃの切り欠きの深さは、図２Ｂに示すように、アーム４、６の基底部４Ｅ、６Ｅによりはぜ１００の基部１０２を挟み、基底部４Ｅ、６Ｅの底面を屋根面に当接させた状態で、第一の凹部４Ｃ，６Ｃの内周面がはぜ１００の拡幅部１０４の側面に当接するような深さが好ましい。なお、一般的に、はぜ１００は、必ずしも図１Ａ等に示すような形状及び寸法に限られない。しかしながら、第一の凹部４Ｃ，６Ｃの位置及び形状を取り付けの対象となるはぜに合わせたものを用いれば、いかなる形状のはぜ１００に対しても本発明を適用できる。
【００２０】
また、アーム４、６には、横方向に延びる貫通孔４Ｂ，６Ｂが形成されている。これら貫通孔４Ｂ，６Ｂは、図２Ｂに示すアーム４、６に対してハウジング２を下方に移動した状態において、一直線上に整列するように設けられている。
【００２１】
また、アーム４、６は、第二の凹部４Ａ、６Ａ及び第一の凹部４Ｃ、６Ｃの反対側の側部に傾斜面４Ｄ、６Ｄが形成されている。これら傾斜面４Ｄ、６Ｄは、それぞれ、一対のアーム４、６の対向する面からの距離が下方に向かって大きくなるように傾斜している。なお、本実施形態では、アーム４、６には、第二の凹部４Ａ、６Ａ及び第一の凹部４Ｃ、６Ｃが形成されているが、上述した対向する面からの距離とは、これら第二の凹部４Ａ、６Ａ及び第一の凹部４Ｃ、６Ｃが設けられていないような平面状態を想定した場合の対向する面からの距離をいう。
【００２２】
アーム４、６には、ガイドピンは、それぞれ前記一対のアームの横方向外側の部位に設けられている第二の凹部４Ａ、６Ａの横方向外側部分に貫通孔が形成されており、この貫通孔をガイドピン１４、１６が前後方向に挿通している。また、このガイドピン１４、１６はハウジング２の前後の面に形成されたガイド孔２Ａを挿通し、先端がハウジング２の外方に突出している。ガイドピン１４、１６の両端には、ガイド孔２Ａの幅よりも大きな直径のヘッドが取り付けられている。このような構成により、ガイドピン１４、１６はガイド孔２Ａに沿って上下方向に移動可能であり、かつ、アーム４、６はこのガイドピン１４、１６を中心に回転可能である。なお、ガイドピン１４、１６が挿通する貫通孔がアーム４、６の上部の横方向外側部分に形成されていることにより、アーム４、６には自重により下部が広がるような回転モーメントが作用する。アーム４、６は、好ましくは樹脂製である。
【００２３】
操作部材８は、ネック８Ｂと、ネック８Ｂの下端に設けられたヘッド８Ａとを備える。ネック８Ｂはハウジング２の上面に形成された上部貫通孔２Ｄを挿通し、ネック８Ｂの先端がハウジング２の上面から突出している。また、ヘッド８Ａは、アーム４、６に形成された第二の凹部４Ａ、６Ａ内に位置している。なお、ネック８Ｂの外周面には螺状が形成されている。なお、この操作部材８が本発明における「操作部材」に相当する。
【００２４】
以下、本実施形態の固定用器具１を屋根のはぜに固定し、さらに、この固定用器具に太陽電池パネルを支持する支持部材を固定する方法を説明する。
図１Ａ及び図１Ｂは、固定用器具１のはぜへの取付前の状態を示す。これらの図に示すように、はぜへの取付前には、操作部材８をハウジング２に対して下方に向けて押し下げる。これにより、操作部材８のヘッド８Ａにより、一対のアーム４、６の第二の凹部４Ａ，６Ａの下面に下方に向かう力が作用する。そして、ガイドピン１４、１６がハウジング２のガイド孔２Ａに沿ってガイド孔２Ａの下端まで移動し、一対のアーム４、６が下方に移動する。上述の通り、ガイドピン１４、１６は一対のアーム４、６の上部横方向外側に形成された貫通孔を挿通している。このため、一対のアーム４，６には、自重により下部が互いに離間するような方向に回転モーメントが作用する。さらに、操作部材８のヘッド８Ａにより、一対のアーム４、６の第二の凹部４Ａ、６Ａの底面が下方に押し下げられることにより、一対のアーム４、６には下部が互いに離間するような方向に回転モーメントが作用する。このため、一対のアーム４、６はそれぞれの傾斜面４Ｄ、６Ｄがハウジングの突出部２Ｃに当接した状態となる。そして、一対のアーム４、６は、それぞれ傾斜面を４Ｄ，６Ｄが、第二の凹部４Ａ、６Ａ及び第一の凹部４Ｃ、６Ｃが形成された面からの距離が下方に向かって大きくなるように傾斜している。このため、一対のアーム４、６がハウジング２に対して下方に移動すると、一対のアーム４，６は、ガイドピン１４、１６を中心に下部が互いに離間するような方向に回転し、それぞれの傾斜面４Ｄ、６Ｄがハウジングの突出部２Ｃに当接した状態となる。このように、一対のアーム４，６の下部が開いた状態で、固定用器具１を一対のアーム４、６の第一の凹部４Ｃ、６Ｃの間にはぜ１００の拡幅部１０４が位置するように配置する。
【００２５】
次に、図２Ａ及び図２Ｂに示すように、ハウジング２を下方に向かって押し込む。ハウジング２を下方に向かって押し込むと、アーム４、６の基底部４Ｅ，６Ｅが屋根上に当接する。これにより、アーム４、６には屋根から上方に向かう反力が作用し、ガイドピン１４、１６がハウジング２のガイド孔２Ａに沿ってハウジング２に対して上方に移動する。ここで、アーム４、６の横方向外側の側部には、間隔が下方に向かって横方向に広がるように傾斜している傾斜面４Ｄ、６Ｄが形成されている。このため、ハウジング２に対してアーム４、６が上方に移動すると、傾斜面４Ｄ、６Ｄとハウジング２の突部２Ｃが当接することにより、アーム４、６には下部が互いに近接するような回転モーメントが作用する。さらに、操作部材８を上方に引き上げると、操作部材８のヘッド８Ａがアーム４、６の第二の凹部４Ａ，６Ａの上面に当接して上方に向かう応力が作用する。これにより、アーム４、６には下部が互いに近接するような回転モーメントが作用する。
このように、ハウジング２を下方に向かって押し込む動作、及び、操作部材８を上方に引き上げる動作の少なくとも何れかを行うことにより、アーム４、６が、下部が互いに近接する方向に回転する。そして、アーム４、６が下部が互いに近接する方向に回転すると、アーム４、６の基底部４Ｅ，６Ｅの底面が屋根の上面に当接し、はぜ１００の基部１０２がアーム４、６の基底部４Ｅ，６Ｅにより挟み込まれ、はぜ１００の拡幅部１０４がアーム４、６の第一の凹部４Ｃ、６Ｃにより収容され、挟み込まれる。
【００２６】
次に、図３Ａ及び図３Ｂに示すように、ボルト２０を、ハウジング２の一方の側部貫通孔２Ｂに挿入し、一対のアーム４、６の貫通孔４Ｂ、６Ｂを挿通させ、さらに、先端をハウジング２の他方の側部貫通孔２Ｂから突出させる。そして、ボルト２０の先端にナット２２を締め込む。これにより、アーム４、６の回転が、ボルト２０およびナット２２が無いときと比べて、より強く固定される。
【００２７】
次に、図４Ａ及び図４Ｂに示すように、支持部材２４を固定用器具１に固定する。支持部材２４には、貫通孔２４Ａが形成されている。この貫通孔２４Ａを操作部材８のネック８Ｂが挿通するように、支持部材２４を配置する。そして、ネック８Ｂにワッシャ２６を挿通させ、ナット２８を締め付ける。これにより、支持部材２４を固定用器具１を介して屋根のはぜ１００に固定することができる。
【００２８】
以下、本実施形態の固定用器具１を用いて太陽電池パネル３００を屋根に固定する構造について説明する。図５は本実施形態の固定用器具１を用いた太陽電池パネル３００を屋根に固定する構造の第１実施例を示す斜視図である。
【００２９】
図５に示すように、屋根１０６には平行に複数のはぜ１００が形成されている。まず、複数のはぜ１００に、所定の間隔をあけて上述した方法により固定用器具１を取り付け、はぜ１００と直交する方向に下方支持部材２００を固定する。なお、この下方支持部材２００が、上述した固定用器具１の取付方法における図４Ａ及び図４Ｂに示す支持部材２４に相当する。
【００３０】
次に、下方支持部材２００の上方に、下方支持部材２００に対して直交するように、上方支持部材２０２を固定する。
【００３１】
次に、隣接する一対の上方支持部材２０２の間に、一対の直角三角形の板状の傾斜支持部材２０４を鉛直に立設させる。そして、一対の傾斜支持部材２０４の傾斜面に太陽電池パネル３００を固定する。
これにより、太陽電池パネル３００を傾斜した状態で屋根に固定することができる。
【００３２】
また、固定用器具１を用いて太陽電池パネル３００を屋根に固定する構造は図５に示す実施例に限定されない。図６は、本実施形態の固定用器具１を用いた太陽電池パネル３００を屋根に固定する構造の第２実施例を示す斜視図である。
【００３３】
図６に示すように、まず、複数のはぜ１００に固定用器具１を所定の間隔をあけて上述した方法により固定用器具１を取り付ける。次に、各固定用器具１の上に、上面の中央に溝部が形成された取付モジュール２０６を固定する。なお、本実施形態では、この取付モジュール２０６が、上述した固定用器具１の取付方法における支持部材２４に相当する。
【００３４】
次に、矩形状の太陽電池パネル３００を、その長手方向縁部が複数の取付モジュール２０６の溝に嵌りこむように配置する。そして、太陽電池パネル３００の上方から太陽電池パネル３００を抑え込むように、押え板２０８を取付モジュール２０６に固定することにより、太陽電池パネル３００を傾斜した状態で屋根に固定することができる。
【００３５】
以上説明した通り、本実施形態の固定用器具１によれば、ハウジング２を押し込む動作又は操作部材８を引き上げる動作の少なくとも一方を行うことにより、アーム４、６がはぜを挟み込んだ状態となる。そして、このアーム４、６をボルト２０及びナット２２により固定することにより、固定用器具１のはぜ１００への取付を完了できる。このように、本実施形態によれば、固定用器具１の取付作業を容易に行うことができる。
【００３６】
また、本実施形態によれば、ガイドピン１４、１６がそれぞれ一対のアーム４、６の上部外側に位置する貫通孔を挿通しているため、一対のアーム４，６には、自重により下部が互いに離間するような方向に回転モーメントが作用する。さらに、本実施形態では、一対のアーム４、６の傾斜面４Ｄ、６Ｄは、それぞれ、一対のアーム４、６の対向する面からの距離が下方に向かって大きくなるように傾斜している。このため、一対のアーム４、６をハウジング２に対して下方に移動させると、一対のアーム４，６が下端が離間するように回転し、一対のアーム４、６をハウジングに対して上方に移動させると、一対のアーム４、６が近接するように回転する。
【００３７】
また、本実施形態によれば、操作部材８のヘッド８Ａが一対のアーム４，６の第二の凹部４Ａ、６Ａに収容されているため、操作部材８を上方に移動させると、ヘッド８Ａが第二の凹部４Ａ，６Ａを上方に引き上げ、これにより、一対のアーム４、６がハウジング２に対して上方に移動するとともに、一対のアーム４，６が、下部が互いに近接するようにガイドピン１４，１６を中心に回転する。また、操作部材８を下方に移動させると、ヘッド８Ａが第二の凹部４Ａ，６Ａを下方に押し込み、これにより、一対のアーム４、６が下方に移動するとともに、一対のアーム４，６が、下部が互いに離間するようにガイドピン１４、１６を中心に回転する。
【００３８】
なお、本実施形態では、アーム４、６をハウジング２に対して上方に移動させる手段として、操作部材８を設けているが、本発明において操作部材８は必須ではなく、省略することも可能である。操作部材８を省略する場合には、以下のようにしてはぜに取付用器具を取り付けることができる。
図７及び図８は、第二実施形態の固定用器具５１を示す断面図であり、固定用器具を屋根のはぜに取り付ける様子を示している。なお、図中、第一実施形態と同様の構成については、同じ符号を付して図示を省略する。これらの図に示すように、第二実施形態の固定用器具５１では、第一実施形態の固定用器具１に対して、操作部材８と、ボルト２０及びナット２２が省略されている。また、これにともない、第二実施形態のハウジング５２は側部貫通孔２Ｂ及び上部貫通孔２Ｄ及びを備えておらず、一対のアーム５２、５４は第二の凹部４Ａ，６Ａ及び貫通孔４Ｂ，６Ｂを備えていない。
図７は固定用器具５１のはぜへの取付前の状態を示す。同図に示すように、ハウジング５２を持ち上げると、アーム５４、５６が自重によりハウジング５２に対して下降するとともに、ガイドピン１４、１６がハウジング５２のガイド溝５２Ａに沿ってガイド溝５２Ａの下端まで移動する。そして、一対のアーム５４、５６は、自重により下部が互いに離間するように付勢され、一対のガイドピン１４、１６を中心に回転し、傾斜面５４Ｄ、５６Ｄがハウジング５２の突出部５２Ｃ、に当接する。このように一対のアーム５４，５６の下部が開いた状態で、固定用器具１を一対のアーム５４、５６の第一の凹部５４Ｃ、５６Ｃの間にはぜ１００の拡幅部１０４が位置するように配置する。
次に、図８に示すように、ハウジング５２を下方に向かって押し込む。ハウジング５２を下方に向かって押し込むと、アーム５４、５６の基底部５４Ｅ，５６Ｅが屋根上に当接する。これにより、アーム５４、５６には屋根から上方に向かう反力が作用し、ガイドピン１４、１６がハウジング５２のガイド溝５２Ａに沿ってハウジング５２に対して上方に移動する。ここで、アーム５４、５６の横方向外側の側部に、間隔が下方に向かって横方向に広がるように傾斜している傾斜面５４Ｄ、５６Ｄが形成されている。このため、ハウジング２に対してアーム５４、５６が上方に移動すると、傾斜面５４Ｄ、５６Ｄとハウジング５２の突部５２Ｃが当接することにより、アーム５４、５６には下部が互いに近接するような回転モーメントが作用する。これにより、アーム５４、５６が、下部が互いに近接する方向に回転する。そして、アーム５４、５６が下部が互いに近接する方向に回転すると、アーム５４、５６の基底部５４Ｅ，５６Ｅの底面が屋根の上面に当接し、はぜ１００の基部１０２がアーム５４、５６の基底部４Ｅ，６Ｅにより挟み込まれ、はぜ１００の拡幅部１０４がアーム５４、５６の第一の凹部５４Ｃ、５６Ｃにより収容され、挟み込まれる。
次に、例えば、ガイドピン１４，１６の移動を拘束するなどの適宜な手段によりアーム５４、５６の移動を拘束する。そして、支持部材をハウジング５２の上面に接合剤で固定する。
【００３９】
また、本実施形態では、ガイドピン１４、１６を上下方向にガイドする手段として、ハウジング２にガイド孔２Ａを形成したが、ガイド手段はこれに限定されない。ガイド手段はハウジング２の内側に設けられた凹状の溝であってもよい。ガイド手段が溝である場合、このガイドピン１４、１６双方の一端がガイド溝に接していてもよい。さらに、本実施形態では、ガイドピン１４、１６はアーム４、６に形成された貫通孔を貫通する構成としたが、これに限らず、アーム４、６と一体に形成してもよい。
【００４０】
また、本実施形態では、ハウジング２の下部に突出部２Ｃを形成したが、突出部２Ｃは必須ではなく、アーム４、６の幅に応じて設ければよい。
【００４１】
また、本実施形態では、固定用器具１をはぜ１００に取り付けた後、ボルト２０をアーム４、６の貫通孔４Ｂ、６Ｂに挿通させ、ボルト２０にナット２２を取り付けているが、このような貫通孔４Ｂ、６Ｂおよびボルト２０及びナット２２は必須ではなく、好ましくは、アーム４、６の移動を固定する手段が設けられていればよい。
【００４２】
また、本実施形態では、太陽電池パネルを屋根に固定する場合について説明したが、これに限らず、地面等であっても、地面（基礎面）から凸部が突出していれば、本発明の固定用器具により太陽電池パネルを固定することができる。
【符号の説明】
【００４３】
１  固定用器具
２  ハウジング
２Ａ  ガイド溝
２Ｂ  側方貫通孔
２Ｃ  突出部
２Ｄ  上部貫通孔
４、６  アーム
４Ａ、６Ａ  第二の凹部
４Ｂ、６Ｂ  貫通孔
４Ｃ、６Ｃ  第一の凹部
４Ｄ、６Ｄ  傾斜面
４Ｅ、６Ｅ  基部
８  操作部材
８Ａ  ネック
８Ｂ  ヘッド
１４、１６  ガイドピン
１００  はぜ
１０２  基部
１０４  拡幅部
３００  太陽電池パネル
【図１Ａ】
2016108757.tif 000003
【図１Ｂ】
2016108757.tif 000004
【図２Ａ】
2016108757.tif 000005
【図２Ｂ】
2016108757.tif 000006
【図３Ａ】
2016108757.tif 000007
【図３Ｂ】
2016108757.tif 000008
【図３Ｃ】
2016108757.tif 000009
【図４Ａ】
2016108757.tif 000010
【図４Ｂ】
2016108757.tif 000011
【図５】
2016108757.tif 000012
【図６】
2016108757.tif 000013
【図７】
2016108757.tif 000014
【図８】
2016108757.tif 000015